(57)【要約】【課題】打球の方向性の合わせや、アドレスの補助を容易に行うことが出来ると共に、外観を向上させることが出来るゴルフボールを提供する。【解決手段】識別手段の標準線２は、前記識別手段の文字，記号３と並列で、かつボールの中心を通る仮想平面とボール外周との交差する外周線Ｘに沿って形成されている。前記識別手段の標準線２は、図２に示すように、所定の太さｈで文字，記号３の両端より延長させて直線状に形成し、前記標準線２は、両端近傍２ａから両端末部２ｂに向かって先細り状に形成してある。このように、標準線２は、両端末部２ｂを先細り状に形成することで、ボール１の打球の方向性の位置合わせや、アドレスの方向の補助を正確に、かつ容易に行うことが出来るものである。なお、前記標準線２の先細り状に形成した両端末部２ｂを認識し易い黄色とか赤等の着色手段を施すことで、更に方向性の位置合わせや、アドレスの方向の補助を容易に行うことが可能となる。【選択図】  図１
2006212337.tif 000002
【特許請求の範囲】
【請求項１】
ボールの外表面に文字，記号，標準線から成る識別手段をマーキングしたゴルフボールにおいて、
前記識別手段の標準線を、ボールの中心を通る仮想平面とボール外周との交差する外周線に沿って配設し、前記標準線は、両端末部に向かって先細り状に形成したことを特徴とするゴルフボール。
【請求項２】
前記標準線を、前記外周線上にマーキングした請求項１に記載のゴルフボール。
【請求項３】
前記標準線の先細り状に形成した両端末部に着色手段を施した請求項１または２に記載のゴルフボール
【請求項４】
前記標準線は、長手方向の中央部の太さを0.6 mm〜3.mmに設定し、長さを文字，記号の長さの140%以上400 % 以下に設定した請求項１，２または３に記載のゴルフボール。
【発明の詳細な説明】
【技術分野】
【０００１】
この発明は、ゴルフボールに係わり、更に詳しくは打球の方向性の位置合わせや、アドレスの補助を容易に行うことが可能なゴルフボールに関するものである。
【背景技術】
【０００２】
従来、ゴルフ競技に使用するゴルフボールの表面の対称位置には、競技中に他人のゴルフボールとの誤認や、ゴルフボールの種類，名称等の識別他、ティーショット、パッティングの際の打球方向の位置合わせ、クラブヘッドのアドレス方向の位置合わせ等を行うために、文字，記号，標準線から成る識別手段をマーキングしたものが知られている（例えば、特許文献１参照）。
【０００３】
特に、標準線等のマーキングＭ１は、図４に示すように、ボール１の表面にマーキングされた文字，記号等のマーキングＭ２に対して、ボール１中心を通る仮想平面とボール外周との交差する外周線Ｘ（赤道線部）に形成されており、更に同一太さの細い線によりマーキングされている。
【０００４】
上記のようなマーキングでは、ゴルフ競技中の打球方向の位置合わせやアドレス方向の位置合わせ等の時に認識し難いと言う問題があり、更に外観の向上を図ることが難しいと言う問題があった。
【特許文献１】特開２００１−２４６０１９号公報
【発明の開示】
【発明が解決しようとする課題】
【０００５】
この発明はかかる従来の問題点に着目し、打球の方向性の合わせや、アドレスの補助を容易に行うことが出来ると共に、外観を向上させることが出来るゴルフボールを提供することを目的とするものである。
【課題を解決するための手段】
【０００６】
この発明は上記目的を達成するため、識別手段の標準線を、ボールの中心を通る仮想平面とボール外周との交差する外周線に沿って配設し、前記標準線は、両端末部に向かって先細り状に形成したことを要旨とするものである。
【０００７】
ここで、前記標準線を、前記外周線上にマーキングし、また標準線の先細り状に形成した両端末部に着色手段を施すことも可能である。更に、標準線は、長手方向の中央部の太さを0.6 mm〜3.mmに設定し、長さを文字，記号の長さの140%以上400 % 以下に設定することが好ましい。
【発明の効果】
【０００８】
この発明は、上記のように、識別手段の標準線を、ボールの中心を通る仮想平面とボール外周との交差する外周線に沿って配設し、前記標準線は、両端末部に向かって先細り状に形成したので、ゴルフ競技中におけるボールの打球の方向性の合わせや、アドレスの補助を容易に行うことが出来、またゴルフボールの外観を良好にすることが出来る効果がある。
【発明を実施するための最良の形態】
【０００９】
以下、添付図面に基づき、この発明の実施形態を説明する。なお、以下の説明において従来例と同一構成要素は同一符号を付して説明は省略する。
【００１０】
図１は、この発明の第１実施形態を示すゴルフボールの正面図を示し、１はボール、Ｘはボール１中心を通る仮想平面とボール外周との交差する外周線（赤道線部）、２は外周線Ｘに沿ってマーキングされた識別手段の標準線、３は識別手段の文字，記号を示している。
【００１１】
この発明の第１実施形態では、前記識別手段の標準線２は、前記識別手段の文字，記号３と並列で、かつボールの中心を通る仮想平面とボール外周との交差する外周線Ｘに沿って形成されている。前記識別手段の標準線２は、図２に示すように、所定の太さｈで文字，記号３の両端より延長させて直線状に形成し、前記標準線２は、両端近傍２ａから両端末部２ｂに向かって先細り状に形成してある。
【００１２】
このように、標準線２は、両端末部２ｂを先細り状に形成することで、ボール１の打球の方向性の位置合わせや、アドレスの方向の補助を正確に、かつ容易に行うことが出来るものである。なお、前記標準線２の先細り状に形成した両端末部２ｂを認識し易い黄色とか赤等の着色手段を施すことで、更に方向性の位置合わせや、アドレスの方向の補助を容易に行うことが可能となる。
【００１３】
また、この実施形態では、標準線２は、長手方向の中央部の太さを0.6 mm〜3.mmに設定し、長さを文字，記号３の長さＬの140%以上400%以下に設定してあるが、この範囲に限定されるものではなく、ボールの種類や識別手段の文字，記号３の種類に応じて任意に設定することも可能である。
【００１４】
なお、この発明の実施形態におけるゴルフボールは、上記のようにボール１の表面に標準線２や文字，記号３等の識別手段をマーキングした後に、透明な樹脂材料を塗装することにより、マーキングを保護するように構成することも可能である。
【００１５】
図３は、この発明の第２実施形態を示し、この実施形態は、前記標準線２を外周線Ｘ上にマーキングしたもので、標準線２の形態や、大きさ等は、上記第１実施形態と同様なので説明は省略する。
【００１６】
以上のように、この発明では標準線２を、ボール１の中心を通る仮想平面とボール外周との交差する外周線Ｘに沿って配設すると共に、所定の太さで文字，記号３の両端より延長させて直線状に形成し、前記標準線２は、両端近傍２ａから両端末部２ｂに向かって先細り状に形成したので、ゴルフ競技中におけるボールの打球の方向性の合わせや、アドレスの補助を容易に行うことが出来、またゴルフボールの外観を良好にすることが出来るものである。
【図面の簡単な説明】
【００１７】
【図１】この発明の第１実施形態を示すゴルフボールの正面図である。
【図２】ボールの表面にマーキングした標準線の拡大説明図である。
【図３】この発明の第２実施形態を示すゴルフボールの正面図である。
【図４】従来のゴルフボールの正面図説明図である。
【符号の説明】
【００１８】
１  ボール                    ２  標準線
３  文字，記号              ２ａ  両端近傍
２ｂ  両端末部                  Ｘ  外周線
ｈ  太さ                      Ｌ  長さ
Ｍ１  標準線等のマーキング
Ｍ２  文字，記号等のマーキング
【図１】
2006212337.tif 000003
【図２】
2006212337.tif 000004
【図３】
2006212337.tif 000005
【図４】
2006212337.tif 000006